(57)【要約】【課題】大型化を避けつつ防水の信頼性を確保したレバー式防水コネクタを提供する。【解決手段】レバー式防水コネクタ１０は、ハウジング２０と、回動レバー３０と、防水部材４０とを備えている。防水部材４０は、ハウジング２０の側壁面２２に接しながらその側壁面２２を一周に亘って取り巻き、嵌合した相手コネクタの内壁面に接して水密性を確保する部材である。また、回動レバー３０は、相手コネクタを嵌合から解放した解放位置と相手コネクタを嵌合させた嵌合位置との間で回動する。そして、この回動レバー３０は、嵌合位置にあるときに、ハウジング２０のカバー部２３，２４と共同して、防水部材４０を一周に亘って側壁面２２との間に挟むように、防水部材４０から離間して側壁面２２に対面する。【選択図】図２
2018032502.tif 000002
【特許請求の範囲】
【請求項１】
ハウジングと、
前記ハウジングの側壁面に接しながら該側壁面を一周に亘って取り巻き、嵌合した相手コネクタの内壁面に接して水密性を確保する防水部材と、
相手コネクタを嵌合から解放した解放位置と相手コネクタを嵌合させた嵌合位置との間で回動し、該嵌合位置にあるときに前記ハウジングと共同して前記防水部材を一周に亘って前記側壁面との間に挟むように、該防水部材から離間して該側壁面に対面する回動レバーとを備えたことを特徴とするレバー式コネクタ。
【請求項２】
前記ハウジングは、平面視で略長方形状を有し、該ハウジングの、前記防水部材の略長方形状の短辺側の部分に、前記防水部材を側壁面との間に挟むように、該防水部材から離間して側壁面に対面するカバー部を有することを特徴とする請求項１に記載のレバー式コネクタ。
【発明の詳細な説明】
【技術分野】
【０００１】
本発明はレバー式の防水コネクタに関する。
【背景技術】
【０００２】
従来より、レバー式の防水コネクタが知られている。この防水コネクタには、ハウジングの側壁面に接しながらその側壁面を一周に亘って取り巻く防水部材が備えられている。そして、相手コネクタが嵌合すると、この防水部材は、その相手コネクタの内壁面にも接し、水密性が確保される。
【０００３】
ここで、相手コネクタが未嵌合の状態において、その防水部材に塵埃が付着すると相手コネクタが嵌合した後の防水性が確保されないおそれがある。そのため、相手コネクタが未嵌合の状態における防水部材への塵埃の付着を防止するために、その防水部材を覆うカバー等を備えた構成が採用されている。
【０００４】
ただし、このカバーを備えると、その分、コネクタが大型化するおそれがある。また、相手コネクタの嵌合を容易にするために回動レバーをさらに備えると、その回動レバーにより、コネクタがさらに大型化するおそれがある。
【０００５】
ここで、特許文献１には、カバーを備えることなくレバーを備えた防水コネクタが開示されている。この特許文献１のコネクタでは、レバーを備えたことにより防水部材の一部はレバーで覆われているが、剥き出しのままの部分もあり、防水部材への塵埃の付着防止の観点からは不十分である。
【先行技術文献】
【特許文献】
【０００６】
【特許文献１】特開２００６−３０２７６９号公報
【発明の概要】
【発明が解決しようとする課題】
【０００７】
本発明は、上記事情に鑑み、大型化を避けつつ防水の信頼性を確保したレバー式防水コネクタを提供することを目的とする。
【課題を解決するための手段】
【０００８】
本発明は、
ハウジングと、
ハウジングの側壁面に接しながらその側壁面を一周に亘って取り巻き、嵌合した相手コネクタの内壁面に接して水密性を確保する防水部材と、
相手コネクタを解放した解放位置と相手コネクタを嵌合させた嵌合位置との間で回動し、嵌合位置にあるときに上記ハウジングと共同して防水部材を一周に亘って側壁面との間に挟むように、防水部材から離間して側壁面に対面する回動レバーとを備えたことを特徴とする。
【０００９】
流通段階にあるレバー式コネクタのレバーは、嵌合位置にある。本発明は、この点に着目した発明である。本発明のレバー式防水コネクタは、嵌合位置にある回動レバーがハウジングと共同して一周に亘って防水部材を覆うカバーとしての役割を担っている。すなわち、本発明のレバー式防水コネクタの場合、相手コネクタを嵌合させる嵌合操作が行われる直前までは回動レバーがハウジングと共同してカバーとして作用する。相手コネクタを嵌合させるために回動レバーが一旦解放位置にまで回動されたときは、カバーとしての役割は不十分となるおそれがあるが、これは短時間であり、ほとんど問題とはならない。すなわち、本発明のレバー式防水コネクタによれば、回動レバーがカバーとしての役割を兼ねているため、回動レバーとは別に一周に亘るカバーを備えた場合と比べ大型化が避けられ、かつつ防水の信頼性が確保される。
【００１０】
ここで、本発明のレバー式防水コネクタにおいて、上記ハウジングは、平面視で略長方形状を有し、そのハウジングの略長方形状の短辺側の部分に、防水部材を側壁面との間に挟むように、防水部材から離間して側壁面に対面するカバー部を有することが好ましい。
【００１１】
回動レバーは回動する構造となっているため、嵌合位置において回動レバーのみで防水部材を全周に亘って覆う構造は困難である。略長方形状の短辺側についてハウジングにカバー部を形成すると、そのカバー部と回動レバーとが共同して、防水部材を一周に亘って覆う簡易な構造が実現できる。
【発明の効果】
【００１２】
以上の本発明によれば、大型化を避けつつ防水の信頼性を確保したレバー式防水コネクタを提供することができる。
【図面の簡単な説明】
【００１３】
【図１】本発明の一実施形態としてのレバー式防水コネクタの、斜め上から見たときの形状を示した斜視図である。
【図２】図１に示すレバー式防水コネクタの、下方から見たときの形状を示した斜視図である。
【図３】図１，図２に示すレバー式防水コネクタの、斜め上から見たときの形状を示した斜視図である。
【図４】相手コネクタの斜視図である。
【図５】嵌合状態にある、本実施形態のレバー式防水コネクタおよび相手コネクタの側面図である。
【図６】回動レバーを、その回動レバーに設けられているカム溝があらわれる面で断面して示した、嵌合状態の側面図である。
【図７】嵌合状態にあるレバー式防水コネクタおよび相手コネクタの長手方向の断面図である。
【図８】嵌合状態にあるレバー式防水コネクタおよび相手コネクタの幅方向の断面図である。
【発明を実施するための形態】
【００１４】
以下、本発明の実施の形態について説明する。
【００１５】
図１は、本発明の一実施形態としてのレバー式防水コネクタの、斜め上から見たときの形状を示した斜視図である。
【００１６】
また、図２は、図１に示すレバー式防水コネクタの、下方から見たときの形状を示した斜視図である。
【００１７】
これら図１，図２では、回動レバー３０は、相手コネクタを嵌合させたときの位置である嵌合位置にある。
【００１８】
また、図３は、図１，図２に示すレバー式防水コネクタの、斜め上から見たときの形状を示した斜視図である。ただし、この図３では、回動レバー３０は、相手コネクタを嵌合から解放した解放位置にある。
【００１９】
このレバー式防水コネクタ１０は、ハウジング２０と、回動レバー３０と、防水部材４０とを備えている。
【００２０】
上述の通り、回動レバー３０は、相手コネクタ５０（図４参照）を嵌合させたときの位置である嵌合位置にある。この回動レバー３０は、実使用前の流通・保管段階においても、この図１に示す嵌合位置が維持されている。
【００２１】
この回動レバー３０には、その両側に回動中心となる孔３１が設けられている。その孔３１には、ハウジング２０の両側面に設けられている突起２１が入り込む。そして、この回動レバー３０は、図１，図２に示す嵌合位置と図３に示す解放位置との間で回動する。また、防水部材４０は、ハウジング２０の側壁面２２に接しながら、その側壁面２２を一周に亘って取り巻いている。また、この防水部材４０は、嵌合した相手コネクタ５０のハウジング６０の内壁面６２１（図４参照）にも接する。これにより、このレバー式防水コネクタ１０のハウジング２０と相手コネクタ５０のハウジング６０との間の防水性が確保される。
【００２２】
回動レバー３０は、図３に示す解放位置にあるときには、防水部材４０を一部露出させている。ただし、回動レバー３０は、図１に示す嵌合位置にあるときには、ハウジング２０と共同して、防水部材４０を一周に亘って側壁面２２との間に挟むように、防水部材４０から離間して側壁面２２に対面している。すなわち、この回動レバー３０は、嵌合位置にあるときには、その防水部材４０を、ハウジング２０と共同して、一周に亘って覆っている。
【００２３】
このハウジング２０は、平面視では、すなわち図１，図３の上方から見たときには、略長方形状を成している。そして、このハウジング２０の、略長方形状に短辺側の部分には、カバー部２３，２４が設けられている。これらのカバー部２３，２４は、防水部材４０を側壁面２２との間に挟むように、防水部材４０から離間して側壁面２２に対面している。すなわち、この防水部材４０の、短辺側の部分は、ハウジング２０のカバー部２３，２４で覆われている。したがって、嵌合位置にある回動レバー３０は、防水部材４０の、主には長辺側の部分を覆う役割となっている。
【００２４】
また、図２には、この回動レバーに形成された、相手コネクタ５０を嵌合状態に引き込むためのカム溝３３があらわれている。
【００２５】
図４は、相手コネクタの斜視図である。
【００２６】
この図４に示す相手コネクタ５０のハウジング６０の両側には、側面から突出したカムフォロア６１が設けられている。
【００２７】
図５は、嵌合状態にある、本実施形態のレバー式防水コネクタおよび相手コネクタの側面図である。
【００２８】
また、図６は、回動レバーを、その回動レバーに設けられているカム溝があらわれる面で断面して示した、嵌合状態の側面図である。
【００２９】
相手コネクタ５０のハウジング６０に設けられたカムフォロア６１は、回動レバー３０が図３に示す解放位置にあるときに、その回動レバー３０のカム溝３３に入り込む。その後、回動レバー３０を嵌合位置にまで回動させる。すると、この回動に伴って、カムフォロア６１がカム溝３３の奥側に引き込まれる。そして、それに伴って、レバー式防水コネクタ１０が相手コネクタ５０と嵌合する。
【００３０】
図７は、嵌合状態にあるレバー式防水コネクタおよび相手コネクタの長手方向の断面図である。
【００３１】
また、図８は、嵌合状態にあるレバー式防水コネクタおよび相手コネクタの幅方向の断面図である。
【００３２】
相手コネクタ５０のハウジング６０には、図４に示すように、上方に開いた長円形の筒状の嵌合部６２が設けられている。そして、相手コネクタ５０が嵌合すると、その嵌合部６２の内壁面６２１が、一周に亘って、防水部材４０に水密に接する。これにより、本実施形態のレバー式防水コネクタ１０のハウジング２０と相手コネクタ５０のハウジング６０との間の防水性が確保されている。
【００３３】
嵌合状態では、回動レバー３０のフック部３４が、相手コネクタ５０のハウジング６０に設けられているフック部６３に係止する。これにより、相手コネクタ５０は嵌合状態に維持される。
【符号の説明】
【００３４】
１０  レバー式防水コネクタ
２０  ハウジング
２１  突起
２２  側壁面
２３，２４  カバー部
３０  回動レバー
３１  孔
３３  カム溝
３４  フック部
４０  防水部材
５０  相手コネクタ
６０  ハウジング
６１  カムフォロア
６２  嵌合部
６２１  内壁面
【図１】
2018032502.tif 000003
【図２】
2018032502.tif 000004
【図３】
2018032502.tif 000005
【図４】
2018032502.tif 000006
【図５】
2018032502.tif 000007
【図６】
2018032502.tif 000008
【図７】
2018032502.tif 000009
【図８】
2018032502.tif 000010